(57)【要約】【課題】内部に水が入り難い荷物収納ボックスを提供する。【解決手段】本発明の荷物収納ボックス１０では、ボックス本体１１の内面の上端寄り位置には、蓋体３０の外縁部全体に下方から対向する環状段差面１６Ａが設けられ、その環状段差面１６Ａの全体から内側環状壁１７が起立しているので、外側嵌合壁１８と蓋体３０との間の隙間から水が浸入しても内側環状壁１７で堰き止められて、外側嵌合壁１８と内側環状壁１７との間の受水溝２４に受け入れられる。これにより、荷物が収容されるボックス本体１１の内部への浸水が抑えられる。【選択図】図１
2019051074.tif 000002
【特許請求の範囲】
【請求項１】
上面開口を有するボックス本体と、
前記ボックス本体のうち前記上面開口を包囲する外側嵌合壁の内側に嵌合され、前記上面開口を閉塞する蓋体と、
前記ボックス本体の内部の上端寄り位置に設けられ、前記蓋体の外縁部全体に下方から対向する環状段差面と、
環状構造をなして前記環状段差面から起立し、前記外側嵌合壁に対して受水溝を挟んで内側から対向する内側環状壁と、を備える荷物収納ボックス。
【請求項２】
前記受水溝の下端部には、水を排出するための排水孔が形成されている請求項１に記載の荷物収納ボックス。
【請求項３】
前記ボックス本体の上端寄り位置には、それより上側部分を側方に拡張する拡張壁が設けられ、前記拡張壁の上面が前記環状段差面をなし、前記拡張壁の下面から前記ボックス本体の下端部まで延びて、内側が前記排水孔となった樋部を備える請求項２に記載の荷物収納ボックス。
【請求項４】
前記環状段差面から起立し、前記内側環状壁に外側から対向する起立対向壁を備え、
前記蓋体には、前記内側環状壁及び前記起立対向壁に当接する本体当接部が備えられている請求項１乃至３の何れか１の請求項に記載の荷物収納ボックス。
【発明の詳細な説明】
【技術分野】
【０００１】
本発明は、ボックス本体の上面開口が蓋体によって閉塞される荷物収納ボックスに関する。
【背景技術】
【０００２】
従来、この種の荷物収納ボックスには、蓋体が、ボックス本体の上部の外側に嵌合されるものと内側に嵌合されるものとがある（例えば、特許文献１参照）。
【先行技術文献】
【特許文献】
【０００３】
【特許文献１】登録実用新案第３２１０５７２号公報（図３）
【発明の概要】
【発明が解決しようとする課題】
【０００４】
しかしながら、蓋体がボックス本体の内側に嵌合される荷物収納ボックスは、内部に水が入り易いことが問題になることがある。
【０００５】
本発明は、上記事情に鑑みてなされたもので、内部に水が入り難い荷物収納ボックスの提供を目的とする。
【課題を解決するための手段】
【０００６】
上記目的を達成するためになされた請求項１の発明は、上面開口を有するボックス本体と、前記ボックス本体のうち前記上面開口を包囲する外側嵌合壁の内側に嵌合され、前記上面開口を閉塞する蓋体と、前記ボックス本体の内部の上端寄り位置に設けられ、前記蓋体の外縁部全体に下方から対向する環状段差面と、環状構造をなして前記環状段差面から起立し、前記外側嵌合壁に対して受水溝を挟んで内側から対向する内側環状壁と、を備える荷物収納ボックスである。
【０００７】
請求項２の発明は、前記受水溝の下端部には、水を排出するための排水孔が形成されている請求項１に記載の荷物収納ボックスである。
【０００８】
請求項３の発明は、前記ボックス本体の上端寄り位置には、それより上側部分を側方に拡張する拡張壁が設けられ、前記拡張壁の上面が前記環状段差面をなし、前記拡張壁の下面から前記ボックス本体の下端部まで延びて、内側が前記排水孔となった樋部を備える請求項２に記載の荷物収納ボックスである。
【０００９】
請求項４の発明は、前記環状段差面から起立し、前記内側環状壁に外側から対向する起立対向壁を備え、前記蓋体には、前記内側環状壁及び前記起立対向壁に当接する本体当接部が備えられている請求項１乃至３の何れか１の請求項に記載の荷物収納ボックスである。
【発明の効果】
【００１０】
［請求項１の発明］
請求項１の荷物収納ボックスでは、ボックス本体のうち上面開口を包囲する外側嵌合壁の内側に蓋体が嵌合されるため、外側嵌合壁と蓋体との間の隙間に上方から水が浸入し得る。しかしながら、ボックス本体の内面の上端寄り位置には、蓋体の外縁部に下方から対向する環状段差面が設けられ、その環状段差面の全体から内側環状壁が起立しているので、外側嵌合壁と蓋体との間の隙間から浸入した水が内側環状壁で堰き止められて、外側嵌合壁と内側環状壁との間の受水溝に受け入れられる。これにより、荷物が収容されるボックス本体の内部への浸水が抑えられる。
【００１１】
［請求項２の発明］
請求項２の荷物収納ボックスでは、受水溝内の水は排水孔を通って外部に排出されるので、受水溝からボックス本体の内部へと水が溢れることが防がれる。
【００１２】
［請求項３の発明］
請求項３の荷物収納ボックスでは、受水溝内の水を樋部を通してボックス本体の下方にスムーズに排出することができる。
【００１３】
［請求項４の発明］
請求項４の荷物収納ボックスでは、内側環状壁と起立対向壁の両壁にて蓋体に係る荷重を受け止めることができ、強度を高くすることができる。
【図面の簡単な説明】
【００１４】
【図１】本発明の一実施形態に係る荷物収納ボックスの斜視図
【図２】荷物収納ボックスの上面開口を閉じた状態の斜視図
【図３】ボックス本体の上面側の斜視図
【図４】荷物収納ボックスの上端部の一部を拡大した斜視図
【図５】荷物収納ボックスの上端部の一部を拡大した側断面図
【図６】荷物収納ボックスの上端部の一部を拡大した斜視図
【図７】コーナートレイの斜視図
【図８】荷物収納ボックスの下面側の斜視図
【図９】蓋体の下面側の斜視図
【図１０】断熱シートの上面側の斜視図
【図１１】蓋体の上面側の斜視図
【図１２】荷物収納ボックスの使用例を示した斜視図
【図１３】セメント枠が装着された荷物収納ボックスの斜視図
【図１４】荷物収納ボックスを地面に埋設する途中の段階の側断面図
【図１５】荷物収納ボックスを地面に埋設する最終の段階の側断面図
【発明を実施するための形態】
【００１５】
以下、本発明の一実施形態を図１〜図１５に基づいて説明する。図１に示すように、本実施形態の荷物収納ボックス１０は、樹脂製のボックス本体１１と蓋体３０とを備える。ボックス本体１１は、上面が開放した直方体状をなし、その上面開口１１Ｋは、短辺と長辺との差が僅かな長方形になっている。また、ボックス本体１１の下端部からは四方に下端フランジ１３が張り出している。下端フランジ１３は、ボックス本体１１の底壁１２と同一平面内に配置され、下端フランジ１３と底壁１２とが一体になって上面開口１１Ｋに相似した長方形のベースプレート１４が構成されている。また、下端フランジ１３の張り出し量は、後述する拡張壁１６より大きくなっている。
【００１６】
ボックス本体１１の側壁１５は、ベースプレート１４から略直角に起立している（詳細には、ボックス本体１１を成形する金型の抜き勾配としての傾斜は有する）。図３に示すように、側壁１５の上端寄り位置から全側方に拡張壁１６が張り出し、側壁１５のうち拡張壁１６より上方に突出している部分が本発明に係る内側環状壁１７になっている。また、拡張壁１６の上面は、本発明に係る環状段差面１６Ａになっている。そして、環状段差面１６Ａのうち内側環状壁１７から離れた先端寄り位置の全体から外側嵌合壁１８が起立している。図５に示すように、外側嵌合壁１８は、内側環状壁１７より高くなっていて、外側嵌合壁１８の内側が上面開口１１Ｋになっている。また、内側環状壁１７と外側嵌合壁１８との間は、本発明に係る受水溝２４になっている。
【００１７】
外側嵌合壁１８全体の上端部からは、上端フランジ１８Ｆが外側に張り出し、その上端フランジ１８Ｆの上面が外側嵌合壁１８の上面１８Ａになっている。また、外側嵌合壁１８全体の枠形状のうち一方の長辺と両短辺とにおいては、外側嵌合壁１８の上面１８Ａと内側面との間の角部をクランク状に屈曲させて段差部２０が形成されている。さらには、図３に示すように、外側嵌合壁１８の外面には、上端フランジ１８Ｆと拡張壁１６との間を連絡する複数の縦リブ１８Ｌが間隔を空けて設けられている。なお、図５に示すように、上端フランジ１８Ｆの側面と拡張壁１６の先端と縦リブ１８Ｌの側面は、略面一になっている。
【００１８】
図３に示すように、内側環状壁１７のうち四隅のコーナー部を除く直線部分には、環状段差面１６Ａから起立した起立対向壁１９が対向している。起立対向壁１９は、環状段差面１６Ａのうち内側環状壁１７寄り位置に配置され、内側環状壁１７と同じ高さをなしている。また、起立対向壁１９の長手方向のうち両端部を含む複数位置は、リブ１７Ｌにて内側環状壁１７に連結されている。
【００１９】
図１に示すように、ボックス本体１１の４つのコーナー部には、上下方向に延びる樋部２１がそれぞれ備えられて、拡張壁１６と下端フランジ１３との間を連絡している。樋部２１は、角筒状をなし、その角筒の一角部に側壁１５のコーナー部１５Ｃが食い込んでいる。具体的には、図４に示すように、側壁１５のコーナー部１５Ｃは円弧状をなし、外側嵌合壁１８のコーナー部１８Ｃも同様に円弧状をなしている。そして、樋部２１を構成する１対の平板状の樋側壁２１Ｂ，２１Ｂが、１対の側壁１５，１５の平板部分とコーナー部１５Ｃとの両境界線からそれぞれ側方に張り出し、残りの１対の樋側壁２１Ａ，２１Ａが、外側嵌合壁１８の平板部分の下方に連続し、さらに、樋側壁２１Ａ，２１Ａの間の円弧状のコーナー部２１Ｃが外側嵌合壁１８のコーナー部１８Ｃの下方に連続している。また、隣り合う樋側壁２１Ａ，２１Ｂの間にも円弧状のコーナー部２１Ｃが備えられている。
【００２０】
樋部２１の内側は本発明に係る排水孔２２をなし、その上端が環状段差面１６Ａに開口する一方、下端が下端フランジ１３の下面に開口している。また、排水孔２２の内面は、上端及び下端から長手方向の中央部に向かってそれぞれ徐々に縮径するように抜き勾配が備えられている。これにより樋部２１の内面を成形する金型を樋部２１の長手方向の中間部で分割することができ、樹脂圧による金型の変形を抑えられる。なお、樋部２１の外面も内面に対応して、上端と下端とから長手方向の中央部に向かってそれぞれ徐々に縮径するように勾配している。
【００２１】
樋部２１の上端寄り位置には、段差面２１Ｄが形成され、その段差面２１Ｄより上側が拡げられた拡張部２１Ｍになっている。なお、図５に示すように、拡張部２１Ｍは、樋部２１の外面において段付き状に膨出している。
【００２２】
図６に示すように、拡張部２１Ｍにはコーナートレイ２３が嵌合されている。図７（Ｂ）に示すように、コーナートレイ２３は、拡張部２１Ｍの断面形状と同様に、一角部が内側に円弧状に抉られた四角形の底壁２３Ａと、その底壁２３Ａの外縁全体から起立する側壁２３Ｂとを有し、底壁２３Ａがメッシュ構造をなしている。また、側壁２３Ｂの上端部のうち前記一角部以外の全体からは側方にフランジ２３Ｃが突出している。さらに、図７（Ａ）に示すように、コーナートレイ２３の上面の略中心部からは、摘まみ部２３Ｄが突出している。そして、コーナートレイ２３は、拡張部２１Ｍ内に嵌合され、フランジ２３Ｃが樋部２１の段差面２１Ｄ（図４参照）に重ねられている。
【００２３】
図１に示すように、側壁１５の外面には、複数の縦リブ１５Ｌと複数の横リブ１５Ｍとが備えられて格子状になっている。また、それら縦リブ１５Ｌ及び横リブ１５Ｍの側壁１５の外面からの突出量は、樋部２１及び拡張壁１６より小さくなっている。
【００２４】
図８に示すように、ベースプレート１４の下面には、補強リブ１４Ｌが張り巡らされている。また、補強リブ１４Ｌの一部は、側壁１５及び樋部２１をベースプレート１４の下方に延長した状態に形成されている。
【００２５】
図３に示すように、外側嵌合壁１８のうち段差部２０を有していない一辺には、複数の蝶番固定部２５が形成されている。各蝶番固定部２５は、外側嵌合壁１８の長手方向の複数位置において、外側嵌合壁１８の上端から上端寄り位置に亘る横長の四角形の領域を内面側では段付き状に陥没させかつ、外面側では段付き状に突出させた構造をなしている。また、蝶番固定部２５内には、複数の取付孔２５Ａが貫通形成されている。そして、蝶番２６（図２参照）の一方の図示しない平板部が外側嵌合壁１８の内面側から蝶番固定部２５に重ねられ、前記取付孔に通したリベットにて固定されている。また、蝶番２６の他方の平板部は、後述するように蓋体３０に固定されている。
【００２６】
図３に示すように、外側嵌合壁１８のうち複数の蝶番固定部２５を有する直線部分とは反対側の直線には、横長矩形の貫通孔１８Ｋが形成されている。そして、その貫通孔１８Ｋに施錠用の金属キャップ６０が嵌合されている。金属キャップ６０は、断面が横長矩形で、一端有底、他端開放の角筒状をなし、その開放端から側方に図示しないフランジが張り出している。そして、金属キャップ６０は、外側嵌合壁１８の内側から貫通孔１８Ｋに嵌合されて接着剤にて固定されかつ、貫通孔１８Ｋとの隙間がシールされている。
【００２７】
なお、図１４に示すように、ボックス本体１１の底壁１２上には、万が一、ボックス本体１１の荷物収容空間に水が入り込んだ場合に備えて簀の子２９が敷かれている。
【００２８】
次に、蓋体３０の構造について説明する。図９に示すように、蓋体３０は、長方形の天板３３の下面に第１及び第２の環状壁３１，３２を備えている。第１環状壁３１は、矩形の枠状をなして天板３３の外面外縁部から垂下し、第２環状壁３２は、その第１環状壁３１より小さい矩形の枠状をなして天板３３の下面における第１環状壁３１より内側部分から垂下している。また、図５に示すように、第２環状壁３２の下面は、第１環状壁３１の下面より下方に位置している。さらに、図９に示すように、第１及び第２の環状壁３１，３２の間は、複数の外縁リブ３４（本発明の「本体当接部」に相当する）によって連絡され、第２環状壁３２の内側には、内部リブ３５が格子状に張り巡らされている。また、外縁リブ３４及び内部リブ３５の下面は、共に第１環状壁３１と下面と面一になっている。
【００２９】
天板３３の外縁部の一長辺においては、第１環状壁３１の外面と天板３３の側面とは面一になっているのに対し、それ以外の各辺においては、図５に示すように、第１環状壁３１が天板３３の側面より内側に僅かにずれ、天板３３の一部が第１環状壁３１から外側に突出して鍔部３３Ａになっている。
【００３０】
図９に示すように、鍔部３３Ａを有しない一長辺の第１環状壁３１には、ボックス本体１１の複数の蝶番固定部２５と同様の複数の蝶番固定部３６が形成されている。また、それら蝶番固定部３６によって第１環状壁３１の外面及び天板３３の側面が部分的に陥没し、第１環状壁３１の内面が部分的に突出している。また、蝶番固定部３６内には、複数の取付孔３６Ａが貫通形成されている。そして、前述したように蝶番２６の他方の平板部が蓋体３０の複数の蝶番固定部３６にリベットにて固定されている。
【００３１】
図２に示すように、蓋体３０は、回動範囲の一端において上面開口１１Ｋの内側に嵌合されて、上面開口１１Ｋが閉塞される。すると、図５に示すように、蓋体３０の第１環状壁３１がボックス本体１１の外側嵌合壁１８内に嵌合すると共に、第２環状壁３２が内側環状壁１７の内側に嵌合される。そして、鍔部３３Ａが、外側嵌合壁１８の段差部２０の底面２０Ａ上に重なり、複数の外縁リブ３４が内側環状壁１７及び起立対向壁１９の上面１７Ａ，１９Ａに重なる。
【００３２】
図１に示すように、蓋体３０とボックス本体１１との間には、１対のダンパー５０，５０が取り付けられている。図６に示すように、各ダンパー５０は、先端が開口しかつ基端部に連結リング部５１Ｂを有するシリンダ５１と、シリンダ５１内に基端側が挿入されかつ先端部に連結リング部５２Ｂを有するロッド５２とからなる。また、ロッド５２の基端部は、シリンダ５１内に抜け止めされている。
【００３３】
ダンパー５０，５０を取り付けるために、第２環状壁３２のうち蓋体３０の回動半径方向に延びた１対の直線部分の回動中心側端部の内側面には、支持金具５３がリベットにて固定されている。また、それら第２環状壁３２の１対の直線部分と隣り合うボックス本体１１の内側環状壁１７の１対の直線部分には、その長手方向の中間部の内側面に、支持金具５４がリベットにて固定されている。そして、シリンダ５１の連結リング部５１Ｂが蓋体３０の支持金具５３に回転可能に連結される一方、ロッド５２の連結リング部５２Ｂがボックス本体１１の支持金具５４に回転可能に連結されている。これにより、閉塞位置から１００度程度の範囲に蓋体３０の回動範囲が規制されている。また、シリンダ５１内をロッド５２が直動する際に隙間を空気が通過することでダンパー効果を奏し、蓋体３０の開閉時の衝撃が緩和される。なお、リベットが通される第２環状壁３２及び内側環状壁１７の貫通孔とリベットとの間には、シール剤が塗布されている。
【００３４】
図９に示すように、蓋体３０には、開操作を容易に行うためにハンドルユニット４４が取り付けられている。具体的には、天板３３のうち第２環状壁３２の内側で回動中心から離れた端部には、矩形孔３３Ｗが形成され、内部リブ３５の一部の上部が矩形孔３３Ｗと重なる範囲で四角形に切除され、その矩形孔３３Ｗにハンドルユニット４４が嵌め込まれている。図１１に示すように、ハンドルユニット４４は、厚板状のベース部４４Ａの上面に門形溝４４Ｂを備え、その門形溝４４Ｂの内部に門形レバー４５を収容してなる。また、門形レバー４５の１対の脚部の先端部が、ヒンジピン４４Ｐ（図９参照）にてベース部４４Ａに回動可能に連結されている。そして、門形溝４４Ｂの中央部に備えた窪み部４４Ｃから門形レバー４５の中央部に指を掛けて引き起こすことができる。なお、矩形孔３３Ｗの開口縁とハンドルユニット４４との隙間はシール剤によって防水処理され、ヒンジピン４４Ｐとベース部４４Ａの支持孔との間は、図示しないＯリング又はパッキンにて防水処理されている。
【００３５】
図１に示すように、蓋体３０の第１環状壁３１には、閉塞した状態でボックス本体１１の金属キャップ６０と対向する位置にロッド挿通孔３１Ａが形成されている。また、図９に示すように、蓋体３０には、第２環状壁３２のうち第１環状壁３１との対向部分を含んだ一部と内部リブ３５の一部を切除してユニット収容部屋３７が形成され、そのユニット収容部屋３７内に施錠ユニット４３が備えられている。施錠ユニット４３は、扁平形状の本体４３Ａに、帯板の図示しない錠ロッドが直動可能に支持された構造をなしている。また、本体４３Ａ内には、無線回路と錠ロッドを直動させる駆動源とが収容されている。施錠ユニット４３は、ユニット収容部屋３７内に接着剤等により固定され、施錠ユニット４３の一端面が第１環状壁３１に宛がわれて、ロッド挿通孔３１Ａから錠ロッドが出没するようになっている。
【００３６】
図１１に示すように、蓋体３０の上面には、装飾と滑り止めを兼ねた格子溝３８と外縁溝３９とが形成されている。外縁溝３９は、蝶番固定部３６を有する辺を除く３辺の外縁部に形成され、外縁溝３９内は複数のリブ３９Ｌによって区画されている。また、格子溝３８より外縁溝３９の溝幅の方が大きくなっている。さらには、格子溝３８の下方には、内部リブ３５又は外縁リブ３４が位置している（図５参照）。
【００３７】
図１に示すように、蓋体３０の下面のうち第２環状壁３２の内側部分は、断熱シート４０で覆われている。断熱シート４０は、独立発泡構造の発泡成形品であって、全体が第２環状壁３２の内側に嵌合される矩形状をなし、図５に示すように第２環状壁３２の高さと同じ厚さをなしている。また、蓋体３０の回動中心側に位置する断熱シート４０の両角部には、ダンパー５０，５０との干渉を避けるための切欠部４０Ｂ，４０Ｂが形成されている。
【００３８】
図１０に示すように、断熱シート４０の上面には、内部リブ３５に対応した格子溝４１と、ハンドルユニット４４に対応した第１凹部４０Ａと、施錠ユニット４３に対応した第２凹部４０Ｃとが形成されている。また、第２凹部４０Ｃの内面構造が断熱シート４０の側方に延長されてカバー片４２になっている。具体的には、カバー片４２から第２凹部４０Ｃ内に亘った上面は、角溝形状をなし、１対の土手部４２Ｂ，４２Ｂに挟まれた角溝４２Ａを有する。そして、図１４に示すように、格子溝４１に内部リブ３５が収まった状態で断熱シート４０が第２環状壁３２内に嵌合され、断熱シート４０の上面が天板３３の下面に重ね合わされている。また、図１に示すように、カバー片４２がユニット収容部屋３７に収まって施錠ユニット４３を下方から覆い、施錠ユニット４３の両側の隙間に土手部４２Ｂ，４２Ｂ（図１０参照）が嵌合されている。
【００３９】
本実施形態の荷物収納ボックス１０の構成に関する説明は以上である。この荷物収納ボックス１０は、例えば、図１２に示すように住居の玄関先等の地面に埋設されて、宅配物の受け取りに使用される。その埋設の施工方法の一例を以下説明する。
【００４０】
図１４に示すように、荷物収納ボックス１０全体を収容することができるボックス設置孔９２を掘り、その底面に水はけを良好にするための小石を敷き詰めて小石層９３を形成する。そして、小石層９３の上に図示しない平板を載置して水平だしを行い、平板を取り除く。
【００４１】
次いで、図１３に示すように、荷物収納ボックス１０のベースプレート１４の外側に嵌合可能なセメント枠９０を用意する。そのセメント枠９０は、例えば、４枚の帯板材９１を枠状に接合してなる。なお、段ボールブラスチックを帯板材９１として使用して溶着にて接合してもよいし、木板を帯板材９１として使用して釘等で接合してもよい。そして、ベースプレート１４の外側にセメント枠９０を嵌合した状態で荷物収納ボックス１０を小石層９３の上に載置するか、セメント枠９０無しの状態で荷物収納ボックス１０を小石層９３の上に載置してからベースプレート１４の外側にセメント枠９０を嵌合する。また、帯板材９１として段ボールブラスチックを使用した場合には、段ボールプラスチックをベースプレート１４に対して溶着してもよい。
【００４２】
そして、図１４に示すように、ボックス設置孔９２の内面とセメント枠９０の外面との間に土８９を詰めて荷物収納ボックス１０をボックス設置孔９２内に固定する。次いで、セメント枠９０の内側にセメント９５を流し込む。そして、セメント９５が固化（半乾きでもよい）したら、図１５に示すように、荷物収納ボックス１０の回りに土８８を詰め込む。
【００４３】
次いで、例えば、地面の表層を荷物収納ボックス１０の拡張壁１６より低い位置まで取り除いて水平だしを行う。次いで、その上に鉄筋９７を格子状に重ねて敷き詰める。そして、鉄筋９７が埋設されるようにセメント層９８を形成し、セメント層９８の上面を荷物収納ボックス１０の上面より僅かに低い位置で水平にならしてから、その上にタイル９９を敷き詰める。以上により、荷物収納ボックス１０が、図１２（Ａ）に示すように住居の玄関先等の地面に埋設される。
【００４４】
次に、本実施形態の荷物収納ボックス１０の作用効果について説明する。荷物収納ボックス１０は、例えば、宅配物を居住者の不在時に収納しておくために使用される。そのためには、居住者と宅配業者とが、荷物収納ボックス１０の施錠ユニット４３の無線リモコンをそれぞれ所持した状態にしておく。そして、居住者が不在の場合に、宅配業者が荷物収納ボックス１０を解錠して蓋体３０を開き、荷物収納ボックス１０内に荷物を収容してから施錠し、例えば、ポスト等に荷物を届けた旨のメモを入れておく。居住者は、帰宅してメモに基づき、荷物収納ボックス１０を解錠して蓋体３０を開き、宅配物を取り出してから蓋体３０を閉じて施錠しておく。このようにして、留守宅への宅配物の配送をスムーズに行うことができ、再配送の手間を省いて宅配業者の人手不足の対策とすることができる。なお、荷物収納ボックス１０から宅配物を容易に取り出せるようにするために、宅配物を、持手部付きの袋か内箱に収容して荷物収納ボックス１０内に収納することが好ましい。
【００４５】
ところで、荷物収納ボックス１０は住居の玄関先等に埋設されるので外観が重要になる。これに対し、本実施形態の荷物収納ボックス１０は、蓋体３０がボックス本体１１の内側に嵌合されるため、図１２に示すように、蓋体３０を閉じても開いても荷物収納ボックス１０の上端部の周囲が簡素の状態になってタイル９９等にマッチし、外観を美しい状態にすることができる。その一方、蓋体３０がボックス本体１１の内側に嵌合する構造としたために、蓋体３０とボックス本体１１との間の隙間に上方から水が浸入する懸念がある。
【００４６】
しかしながら、図５に示すように、蓋体３０の鍔部３３Ａの下面は、ボックス本体１１の開口縁に備えた段差部２０の底面２０Ａに面当接するので、雨水が大量に蓋体３０とボックス本体１１との隙間から荷物収納ボックス１０内に流れ込むことが防がれる。
【００４７】
また、ボックス本体１１の内面の上端寄り位置には、蓋体３０の外縁部全体に下方から対向する環状段差面１６Ａが設けられ、その環状段差面１６Ａの全体から内側環状壁１７が起立しているので、外側嵌合壁１８と蓋体３０との間の隙間から水が浸入しても内側環状壁１７で堰き止められて、外側嵌合壁１８と内側環状壁１７との間の受水溝２４に受け入れられる。これにより、荷物が収容されるボックス本体１１の内部への浸水が抑えられる。また、受水溝２４内の水は、図４に示した排水孔２２を通って外部に排出されるので、受水溝２４からボックス本体１１の内部へと水が流れ込むことが防がれる。なお、排水孔２２の上端部は、コーナートレイ２３（図６参照）にて閉塞されているので、例えば家の鍵等が排水孔２２内に落ちることが防がれる。また、蓋体３０の下面に断熱シート４０を備えているので、外気温による荷物収納ボックス１０内への影響を抑えることができる。
【００４８】
また、蓋体３０に上から係る荷重は、蓋体３０の外縁の鍔部３３Ａとボックス本体１１の段差部２０の底面２０Ａとの当接だけではなく、蓋体３０の下面の外縁部に環状に並べられた複数の外縁リブ３４と、ボックス本体１１の内側環状壁１７及び起立対向壁１９との当接によっても受け止められるので蓋体３０に係る荷重が分散され、蓋体３０の変形が抑えられる。このことにより、蓋体３０の鍔部３３Ａとボックス本体１１の底面２０Ａとの当接も安定し、荷物収納ボックス１０内への防水機能も安定する。
【００４９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５０】
（１）前記実施形態では、荷物収納ボックス１０を地中に埋設して使用する例を示したが、例えば、荷物収納ボックスを地面の上に載置してアンカー等により固定してもよい。また、荷物収納ボックスに収容する荷物は、宅配物に限定されるものではなく、例えば、日曜大工用品を荷物として収納してもよい。さらには、荷物収納ボックスは、固定せずに荷物を搬送するために使用してもよい。
【００５１】
（２）前記実施形態の荷物収納ボックス１０の樋部２１を拡張壁１６より上方に延長して蓋体３０に当接されてもよい。その場合、受水溝２４から排水孔２２へと水を流すための孔を樋部２１の側面に形成すればよい。
【００５２】
（３）また、前記実施形態の荷物収納ボックス１０では、起立対向壁１９が４辺に分断されていたが、排水孔２２を若干小さくして隣り合う両辺の起立対向壁１９，１９同士を内側環状壁１７と同様に繋げてもよい。
【００５３】
（４）前記実施形態の荷物収納ボックス１０において、ボックス本体１１の底部に水抜き孔を設けて栓をしておき、荷物収納ボックス１０内に水が入った場合に栓を抜いて水抜きができるようにしてもよい。
【００５４】
（５）前記実施形態の荷物収納ボックス１０において、内側環状壁１７と起立対向壁１９との間の隙間を排水孔２２に連通させてもよいし、その隙間をシール材で埋めてもよい。
【００５５】
（６）前記実施形態の荷物収納ボックス１０では、樋部２１の内側が排水孔２２になっていたが、受水溝２４から外部に水を排水するために、例えば、樋部２１を備えず、拡張壁１６を上下に貫通するか、又は、外側嵌合壁１８を側方から貫通するように排水孔２２を設けてもよい。
【符号の説明】
【００５６】
１０    荷物収納ボックス
１１    ボックス本体
１１Ｋ  上面開口
１６    拡張壁
１６Ａ  環状段差面
１７    内側環状壁
１８    外側嵌合壁
１９    起立対向壁
２１    樋部
２２    排水孔
２４    受水溝
３０    蓋体
３４    外縁リブ（本体当接部）
【図１】
2019051074.tif 000003
【図２】
2019051074.tif 000004
【図３】
2019051074.tif 000005
【図４】
2019051074.tif 000006
【図５】
2019051074.tif 000007
【図６】
2019051074.tif 000008
【図７】
2019051074.tif 000009
【図８】
2019051074.tif 000010
【図９】
2019051074.tif 000011
【図１０】
2019051074.tif 000012
【図１１】
2019051074.tif 000013
【図１２】
2019051074.tif 000014
【図１３】
2019051074.tif 000015
【図１４】
2019051074.tif 000016
【図１５】
2019051074.tif 000017